(57)【要約】【課題】装着作業が容易なコネクタ取付部材を提供する。【解決手段】レセプタクルの連結筒２に外嵌し且つ矩形フランジ４を覆う枠体９と、枠体９から接続筒３側へ向けて突出し且つ支持板６に形成した接続筒３を挿入すべき開口１０縁部に係合可能な爪１１と、枠体９に連なって矩形フランジ４の外縁辺に接するリブ１２とを備え、これらを弾性変形が可能な高分子材料で一体成形している。  すなわち、レセプタクルの連結筒２及び矩形フランジ４を枠体９に嵌め込んだ状態で、接続筒３と枠体９に付帯する爪１１を支持板６の開口１０へ挿入して、開口１０縁部の爪１１を係合させ、支持板６にレセプタクルを装着する。  また、リブ１２が矩形フランジ４の外縁辺に接してレセプタクルの廻り止めになる。【選択図】図１
2005026195.tif 000002
【特許請求の範囲】
【請求項１】
コネクタ一端寄り部分に外嵌し且つコネクタ中間部分に形成されている矩形フランジを覆う枠体と、該枠体からコネクタ他端側へ向けて突出し且つ支持板に形成したコネクタ他端寄り部分を挿入すべき開口縁部に係合可能な爪と、前記枠体に連なって矩形フランジの外縁の少なくとも一辺に接するリブとを備えてなることをコネクタ取付部材。 
【発明の詳細な説明】
【技術分野】
【０００１】
本発明はコネクタ取付部材に関するものである。
【背景技術】
【０００２】
近年、エンジン、トランスミッション、ブレーキなどの車両の機能の健全性を判定するために、車載コンピュータを利用したダイアグノーシス（Diagnosis：診断）が実施されている。
【０００３】
ダイアグノーシスには、車載コンピュータによって上記の機能の健全性を判定し、その結果を適宜に搭乗者に知らせる方式と、車載コンピュータに機器の作動履歴のデータを保持し、このデータを整備場に常設のコンピュータで読み取って解析する方式とがある。
【０００４】
整備場で機能の健全性を解析する際には、車両側に取り付けた送信用コネクタ（レセプタクル）に、整備場のコンピュータに付帯の受信用コネクタ（プラグ）を接続して、データを移す操作を行なう。
【０００５】
図５乃至図７は従来のレセプタクルの装着例を示すもので、レセプタクルは、一端面にプラグ（図示せず）のピンが着脱可能な複数の接片１を有する連結筒２と、該連結筒２に同軸に連なる接続筒３と、これら連結筒２及び接続筒３の間に位置する矩形フランジ４とで構成され、接続筒３の端部には、車載コンピュータから延びるケーブルに付帯のソケット（図示せず）が螺合される。
【０００６】
矩形フランジ４の四隅近傍には、フランジ外縁部分から内側へ延びる切込部５が形成され、この切込部５に、レセプタクル軸線に平行なボルト（図示せず）を挿通できるようになっている。
【０００７】
レセプタクルの装着対象となる支持板（金属板）６には、接続筒３が挿通可能な円形の開口７と、該開口７に接続筒３を挿通した際に矩形フランジ４の切込部５に対応する孔８とが穿設されている。
【０００８】
すなわち、矩形フランジ４の切込部５に、連結筒２側から接続筒３側へ向けてタッピングねじ（図示せず）を挿入したうえ、当該タッピングねじを支持板６の孔８に螺合させることにより、レセプタクルを支持板６に装着する。
【発明の開示】
【発明が解決しようとする課題】
【０００９】
しかしながら、従来のレセプタクルの装着例では、開口７の周囲に４つの孔８を予め穿設しておく工程、並びに支持板６に対して４本のタッピングねじを螺合する工程が不可欠であるため、装着作業の合理化を図りたいという要望がある。
【００１０】
本発明は上述した実情に鑑みてなしたもので、装着作業が容易なコネクタ取付部材を提供することを目的としている。
【課題を解決するための手段】
【００１１】
上記目的を達成するため、本発明は、コネクタ一端寄り部分に外嵌し且つコネクタ中間部分に形成されている矩形フランジを覆う枠体と、該枠体からコネクタ他端側へ向けて突出し且つ支持板に形成したコネクタ他端寄り部分を挿入すべき開口縁部に係合可能な爪と、前記枠体に連なって矩形フランジの外縁の少なくとも一辺に接するリブとを備えている。
【００１２】
本発明においては、枠体に付帯している爪を支持板の開口縁部に係合させて、コネクタ一端寄り部分に外嵌し且つ矩形フランジを覆う枠体を支持板に装着し、また、矩形フランジの外縁に当接するリブがコネクタの廻り止めになる。
【発明の効果】
【００１３】
本発明のコネクタ取付部材によれば、下記のような種々の優れた効果を奏し得る。
【００１４】
（１）枠体に付帯している爪を支持板の開口縁部に係合させて、コネクタ一端寄り部分に外嵌し且つ矩形フランジを覆う枠体を支持板に装着するので、支持板へのコネクタの装着作業を合理的に行なうことができる。
【００１５】
（２）矩形フランジの外縁に当接するリブがコネクタの廻り止めになるので、コネクタの周方向への回動を確実に防止できる。
【発明を実施するための最良の形態】
【００１６】
以下、本発明の実施の形態を、図示例とともに説明する。
【００１７】
図１乃至図４は本発明のコネクタ取付部材の実施の形態の一例を示すもので、図中、図５乃至図７のものと同一の符号を付した部分は同一物を表わしている。
【００１８】
このコネクタ取付部材は、レセプタクルの連結筒２に外嵌し且つ矩形フランジ４を覆う枠体９と、該枠体９から接続筒３側へ向けて突出し且つ支持板６に形成した接続筒３を挿入すべき開口１０縁部に係合可能な２つの爪１１と、枠体９に連なって矩形フランジ４の外縁辺に接する２つリブ１２とを備えている。
【００１９】
これら枠体９、開口１０、爪１１、リブ１２は、弾性変形が可能な高分子材料で一体成形されている。
【００２０】
爪１１は、枠体９の互いに平行な１組の縁部のそれぞれに設けられ、爪１１と枠体９の境界部分には、爪１１の根元に沿って延びる溝１３が形成されており、爪１１が根元を支点に容易に屈折でき且つ元の状態に戻るようになっている。
【００２１】
リブ１２は、前記の爪１１がない枠体９の縁部のそれぞれに設けられている。
【００２２】
更に、開口１０は、接続筒３がゆとりをもって入り込み且つ矩形フランジ４の四隅が支持板６に接するような直径の単純な円形に形成されている。
【００２３】
すなわち、レセプタクルの連結筒２及び矩形フランジ４を枠体９に嵌め込んだ状態で、接続筒３と枠体９に付帯する爪１１を支持板６の開口１０へ挿入して、当該開口１０縁部の爪１１を係合させ、これにより、支持板６にレセプタクルを装着する。
【００２４】
また、リブ１２が矩形フランジ４の外縁辺に接してレセプタクルの廻り止めになる。
【００２５】
このように、図１乃至図４に示すコネクタ取付部材では、支持板６の開口１０縁部に爪１１を係合させるだけで、支持板６へのレセプタクルの装着作業が完了し、従前のような孔８（図６、図７参照）を穿設する工程や、タッピングねじを螺合する工程がなくなるので、装着作業の合理化を図ることができる。
【００２６】
これに加えて、レセプタクルの矩形フランジ４の切込部５も不要になるので、切込部５の形成のための加工費を削減できる。
【００２７】
なお、本発明のコネクタ取付部材は上述した実施の形態のみに限定されるものではなく、本発明の要旨を逸脱しない範囲において変更を加え得ることは勿論である。
【産業上の利用可能性】
【００２８】
ダイアグノーシスのみならず、種々の装置に組み込まれるレセプタクルを支持板に装着する手段として適用できる。
【図面の簡単な説明】
【００２９】
【図１】本発明のコネクタ取付部材の実施の形態の一例を示す縦断面図である。
【図２】図１のＩＩ−ＩＩ矢視図である。
【図３】図１のＩＩＩ−ＩＩＩ矢視図である。
【図４】図１に関連する支持板の開口、レセプタクルの矩形フランジ、並びにコネクタ取付部材の相対位置を示す概念図である。
【図５】従来のレセプタクルの装着例を示す縦断面図である。
【図６】図５のＶＩ−ＶＩ矢視図である。
【図７】図５に関連する支持板の開口、並びにレセプタクルの矩形フランジの相対位置を示す概念図である。
【符号の説明】
【００３０】
２    連結筒（コネクタ一端寄り部分）
３    接続筒（コネクタ他端寄り部分）
４    矩形フランジ
６    支持板
９    枠体
１０  開口
１１  爪
１２  リブ
【図１】
2005026195.tif 000003
【図２】
2005026195.tif 000004
【図３】
2005026195.tif 000005
【図４】
2005026195.tif 000006
【図５】
2005026195.tif 000007
【図６】
2005026195.tif 000008
【図７】
2005026195.tif 000009